(57)【要約】【課題】ネットワークの帯域制御の構成、及び動作を簡易化したネットワーク及びネットワーク帯域制御方法を提供する。【解決手段】ネットワーク１は、第１のネットワーク中継機器と第２のネットワーク中継機器とを備え、第１のネットワーク中継機器は、受信ポートと、受信ポート識別子付加部１１２と、リンクポート１０４とを有し、第２のネットワーク中継機器が、他のユーザ網に接続されている第１のネットワーク中継機器の送信ポートの送信ポート識別子をフレームに付加する転送制御部２２０と、帯域制御する帯域制御部２１２と、他のユーザ網に接続されている第１のネットワーク中継機器にフレームを転送する転送ポートとを有し、他のユーザ網に接続されている第１のネットワーク中継機器が、第２のネットワーク中継機器から受け取ったフレームを送信ポート識別子に対応付けられた送信ポートから他のユーザ網に転送する。【選択図】図１
2011166338.tif 000002
【特許請求の範囲】
【請求項１】
複数のユーザ網のそれぞれに接続される複数の第１のネットワーク中継機器と、前記複数の第１のネットワーク中継機器のそれぞれに接続される第２のネットワーク中継機器とを備えるネットワークであって、
前記複数の第１のネットワーク中継機器はそれぞれ、
一のユーザ網から他のユーザ網に宛てたフレームを前記一のユーザ網から受信する受信ポートと、
前記受信ポートに対応づけられた受信ポート識別子を前記フレームに付加する受信ポート識別子付加部と、
前記受信ポート識別子が付加された前記フレームを前記第２のネットワーク中継機器に転送するリンクポートと
を有し、
前記第２のネットワーク中継機器が、
前記第１のネットワーク中継機器から受け取った前記フレームに、前記他のユーザ網に接続されている前記第１のネットワーク中継機器の送信ポートに対応づけられた送信ポート識別子を付加する転送制御部と、
前記フレームを前記他のユーザ網に接続されている前記第１のネットワーク中継機器に転送するときに帯域制御する帯域制御部と、
前記フレームを前記他のユーザ網に接続されている前記第１のネットワーク中継機器に転送する転送ポートと
を有し、
前記他のユーザ網に接続されている前記第１のネットワーク中継機器が、
前記第２のネットワーク中継機器から受け取った前記フレームを、前記フレームに付加された前記送信ポート識別子に対応付けられた前記送信ポートから前記他のユーザ網に転送するネットワーク。
【請求項２】
前記受信ポート識別子としてＶＬＡＮ  ＩＤが前記受信ポートに対応づけられ、
前記受信ポート識別子付加部が、前記フレームに前記ＶＬＡＮ  ＩＤを含むＶＬＡＮ  ＴＡＧを付加する請求項１に記載のネットワーク。
【請求項３】
前記フレームが、宛先情報を含み、
前記第２のネットワーク中継機器が、
前記宛先情報に対応づけてＶＰＩＤ及びＩＶＩＤを格納するＦＤＢと、
前記ＶＰＩＤ及び前記ＩＶＩＤに対応づけて前記ＶＬＡＮ  ＩＤを格納するＶＰＩＤテーブルとを更に有し、
前記転送制御部が、前記フレームに含まれる前記宛先情報に対応づけて前記ＦＤＢが格納している前記ＶＰＩＤ及び前記ＩＶＩＤを参照し、参照した前記ＶＰＩＤ及び前記ＩＶＩＤに対応づけて前記ＶＰＩＤテーブルに格納されている前記ＶＬＡＮ  ＩＤを、前記送信ポート識別子として前記フレームに付加する請求項２に記載のネットワーク。
【請求項４】
複数のユーザ網のそれぞれに接続される複数の第１のネットワーク中継機器と、前記複数の第１のネットワーク中継機器のそれぞれに接続される第２のネットワーク中継機器とを備えるネットワークにおける帯域を制御するネットワーク帯域制御方法であって、
一のユーザ網から他のユーザ網に宛てたフレームを受信ポートにおいて前記一のユーザ網から受信する受信工程と、
前記受信ポートに対応づけられた受信ポート識別子を前記フレームに付加する受信ポート識別子付加工程と、
前記受信ポート識別子が付加された前記フレームを前記第１のネットワーク中継機器のリンクポートから前記第２のネットワーク中継機器に転送する第１転送工程と、
前記第１のネットワーク中継機器から受け取った前記フレームに、前記他のユーザ網に接続されている前記第１のネットワーク中継機器の送信ポートに対応づけられた送信ポート識別子を付加する送信ポート識別子付加工程と、
前記フレームを前記他のユーザ網に接続されている前記第１のネットワーク中継機器に転送するときに帯域制御する帯域制御工程と、
前記フレームを前記他のユーザ網に接続されている前記第１のネットワーク中継機器に転送ポートから転送する第２転送工程と、
前記他のユーザ網に接続されている前記第１のネットワーク中継機器が、前記第２のネットワーク中継機器から受け取った前記フレームを、前記フレームに付加された前記送信ポート識別子に対応付けられた前記送信ポートから前記他のユーザ網に転送する第３転送工程と
を備えるネットワーク帯域制御方法。
【請求項５】
前記受信ポート識別子としてＶＬＡＮ  ＩＤが前記受信ポートに対応づけられ、
前記受信ポート識別子付加工程が、前記フレームに前記ＶＬＡＮ  ＩＤを含むＶＬＡＮ  ＴＡＧを付加する請求項４に記載のネットワーク帯域制御方法。
【発明の詳細な説明】
【技術分野】
【０００１】
本発明は、ネットワーク及びネットワーク帯域制御方法に関する。特に、本発明は、帯域制御を所定のネットワーク中継機器において実行するネットワーク及びネットワーク帯域制御方法に関する。
【背景技術】
【０００２】
従来、複数のＬＡＮ端末を配下に収容するスイッチングハブにおいて、通信回線で互いに接続された複数のスイッチングハブが、互いに他のスイッチングハブの配下で実行されるＬＡＮ端末間の中継処理をバックアップするスイッチングハブが知られている（例えば、特許文献１参照。）。
【０００３】
特許文献１に記載のスイッチングハブによれば、複数のスイッチングハブを接続した構成のネットワークにおいて、スイッチングハブのスイッチング処理部同士で相手側の負荷をバックアップできるので、所定のスイッチングハブの中継処理の負荷が増加することにより１台のスイッチングハブで対応できる中継処理能力を越えた場合等の事態が発生した場合であっても、配下の端末は、他のスイッチングハブにおけるスイッチング処理部を用いてＬＡＮ間通信をすることができる。
【先行技術文献】
【特許文献】
【０００４】
【特許文献１】特開平１１−１９６１１９号公報
【発明の概要】
【発明が解決しようとする課題】
【０００５】
しかし、特許文献１に記載のスイッチングハブでは、全てのスイッチングハブのそれぞれにおいて他のスイッチングハブの負荷をバックアップしなければならないので、ネットワーク全体の構成、及び動作を簡素化することができず、ネットワーク全体のコストを低減させることが困難である。
【０００６】
したがって、本発明の目的は、ネットワークの帯域制御の構成、及び動作を簡易化したネットワーク及びネットワーク帯域制御方法を提供することにある。
【課題を解決するための手段】
【０００７】
本発明は、上記目的を達成するため、複数のユーザ網のそれぞれに接続される複数の第１のネットワーク中継機器と、複数の第１のネットワーク中継機器のそれぞれに接続される第２のネットワーク中継機器とを備えるネットワークであって、複数の第１のネットワーク中継機器はそれぞれ、一のユーザ網から他のユーザ網に宛てたフレームを一のユーザ網から受信する受信ポートと、受信ポートに対応づけられた受信ポート識別子をフレームに付加する受信ポート識別子付加部と、受信ポート識別子が付加されたフレームを第２のネットワーク中継機器に転送するリンクポートとを有し、第２のネットワーク中継機器が、第１のネットワーク中継機器から受け取ったフレームに、他のユーザ網に接続されている第１のネットワーク中継機器の送信ポートに対応づけられた送信ポート識別子を付加する転送制御部と、フレームを他のユーザ網に接続されている第１のネットワーク中継機器に転送するときに帯域制御する帯域制御部と、フレームを他のユーザ網に接続されている第１のネットワーク中継機器に転送する転送ポートとを有し、他のユーザ網に接続されている第１のネットワーク中継機器が、第２のネットワーク中継機器から受け取ったフレームを、フレームに付加された送信ポート識別子に対応付けられた送信ポートから他のユーザ網に転送するネットワークが提供される。
【０００８】
また、上記ネットワークにおいて、受信ポート識別子としてＶＬＡＮ  ＩＤが受信ポートに対応付けられ、受信ポート識別子付加部が、フレームにＶＬＡＮ  ＩＤを含むＶＬＡＮ  ＴＡＧを付加することもできる。
【０００９】
また、上記ネットワークにおいて、フレームが、宛先情報を含み、第２のネットワーク中継機器が、宛先情報に対応づけてＶＰＩＤ及びＩＶＩＤを格納するＦＤＢと、ＶＰＩＤ及びＩＶＩＤに対応づけてＶＬＡＮ  ＩＤを格納するＶＰＩＤテーブルとを更に有し、転送制御部が、フレームに含まれる宛先情報に対応づけてＦＤＢが格納しているＶＰＩＤ及びＩＶＩＤを参照し、参照したＶＰＩＤ及びＩＶＩＤに対応づけてＶＰＩＤテーブルに格納されているＶＬＡＮ  ＩＤを、送信ポート識別子としてフレームに付加することもできる。
【００１０】
また、本発明は、上記目的を達成するため、複数のユーザ網のそれぞれに接続される複数の第１のネットワーク中継機器と、複数の第１のネットワーク中継機器のそれぞれに接続される第２のネットワーク中継機器とを備えるネットワークにおける帯域を制御するネットワーク帯域制御方法であって、一のユーザ網から他のユーザ網に宛てたフレームを受信ポートにおいて一のユーザ網から受信する受信工程と、受信ポートに対応づけられた受信ポート識別子をフレームに付加する受信ポート識別子付加工程と、受信ポート識別子が付加されたフレームを第１のネットワーク中継機器のリンクポートから第２のネットワーク中継機器に転送する第１転送工程と、第１のネットワーク中継機器から受け取ったフレームに、他のユーザ網に接続されている第１のネットワーク中継機器の送信ポートに対応づけられた送信ポート識別子を付加する送信ポート識別子付加工程と、フレームを他のユーザ網に接続されている第１のネットワーク中継機器に転送するときに帯域制御する帯域制御工程と、フレームを他のユーザ網に接続されている第１のネットワーク中継機器に転送ポートから転送する第２転送工程と、他のユーザ網に接続されている第１のネットワーク中継機器が、第２のネットワーク中継機器から受け取ったフレームを、フレームに付加された送信ポート識別子に対応付けられた送信ポートから他のユーザ網に転送する第３転送工程とを備えるネットワーク帯域制御方法が提供される。
【００１１】
また、上記ネットワーク帯域制御方法において、受信ポート識別子としてＶＬＡＮ  ＩＤが受信ポートに対応付けられ、受信ポート識別子付加工程が、フレームにＶＬＡＮ  ＩＤを含むＶＬＡＮ  ＴＡＧを付加することもできる。
【発明の効果】
【００１２】
本発明に係るネットワーク及びネットワーク帯域制御方法によれば、ネットワークの帯域制御の構成、及び動作を簡易化したネットワーク及びネットワーク帯域制御方法を提供できる。
【図面の簡単な説明】
【００１３】
【図１】本発明の実施の形態に係るネットワークの概要図である。
【図２】本発明の実施の形態に係る第１のネットワーク中継機器としてのスイッチングハブの機能構成図である。
【図３】本発明の実施の形態に係る受信ポート識別子テーブルのデータ構成の図である。
【図４】本発明の実施の形態に係る第２のネットワーク中継機器としてのスイッチングハブの機能構成図である。
【図５】本発明の実施の形態に係るＦＤＢのデータ構成の図である。
【図６】本発明の実施の形態に係るＶＰＩＤテーブルのデータ構成の図である。
【発明を実施するための形態】
【００１４】
［実施の形態の要約］
複数のユーザ網のそれぞれに接続される複数の第１のネットワーク中継機器と、前記複数の第１のネットワーク中継機器のそれぞれに接続される第２のネットワーク中継機器とを備えるネットワークにおいて、前記複数の第１のネットワーク中継機器はそれぞれ、一のユーザ網から他のユーザ網に宛てたフレームを前記一のユーザ網から受信する受信ポートと、前記受信ポートに対応づけられた受信ポート識別子を前記フレームに付加する受信ポート識別子付加部と、前記受信ポート識別子が付加された前記フレームを前記第２のネットワーク中継機器に転送するリンクポートとを有し、前記第２のネットワーク中継機器が、前記第１のネットワーク中継機器から受け取った前記フレームに、前記他のユーザ網に接続されている前記第１のネットワーク中継機器の送信ポートに対応づけられた送信ポート識別子を付加する転送制御部と、前記フレームを前記他のユーザ網に接続されている前記第１のネットワーク中継機器に転送するときに帯域制御する帯域制御部と、前記フレームを前記他のユーザ網に接続されている前記第１のネットワーク中継機器に転送する転送ポートとを有し、前記他のユーザ網に接続されている前記第１のネットワーク中継機器が、前記第２のネットワーク中継機器から受け取った前記フレームを、前記フレームに付加された前記送信ポート識別子に対応付けられた前記送信ポートから前記他のユーザ網に転送するネットワークが提供される。
【００１５】
［実施の形態］
（ネットワーク１の概要）
図１は、本発明の実施の形態に係るネットワークの概要を示す。
【００１６】
本実施の形態に係るネットワーク１は、ユーザ網２とユーザ網２とは異なるユーザ網４とに接続される第１のネットワーク中継機器としてのスイッチングハブ１０と、ユーザ網２及びユーザ網４とは異なるユーザ網６に接続され、スイッチングハブ１０とは異なる第１のネットワーク中継機器としてのスイッチングハブ１２と、スイッチングハブ１０及びスイッチングハブ１２のそれぞれに接続される第２のネットワーク中継機器としてのスイッチングハブ２０とを備える。
【００１７】
ここで、ユーザ網２乃至ユーザ網６は、例えば、ＬＡＮ（Ｌｏｃａｌ  Ａｒｅａ  Ｎｅｔｗｏｒｋ）である。また、スイッチングハブ１０及びスイッチングハブ１２はそれぞれ、ユーザ網２乃至ユーザ網６を除く他の複数のユーザ網に接続されていてもよい。更に、スイッチングハブ１０及びスイッチングハブ１２を除く他の第１のネットワーク中継機器としてのスイッチングハブが、スイッチングハブ２０に接続されていてもよい。すなわち、スイッチングハブ２０が、スイッチングハブ１０及びスイッチングハブ１２と共に、他の第１のネットワーク中継機器としてのスイッチングハブを下位に有していてもよい。
【００１８】
ユーザ網２は、ＰＣ等の情報通信端末としての端末３００と、端末３００に接続されるスイッチ３０とを有する。また、ユーザ網４は、端末３２０と、端末３２０に接続されるスイッチ３２とを有する。更に、ユーザ網６は、端末３４０と、端末３４０に接続されるスイッチ３４とを有する。なお、ユーザ網２乃至ユーザ網６はそれぞれ、複数の端末を有することができ、この場合、複数の端末のそれぞれは、各ユーザ網のスイッチに接続される。
【００１９】
そして、スイッチ３０は、スイッチングハブ１０のポート１００に接続され、スイッチ３２は、スイッチングハブ１０のポート１０２に接続される。また、スイッチ３４は、スイッチングハブ１２のポート１２０に接続される。更に、スイッチングハブ１０のリンクポート１０４は、スイッチングハブ２０のポート２００に接続され、スイッチングハブ１２のリンクポート１２４は、スイッチングハブ２０のポート２０４に接続される。
【００２０】
（ネットワーク１の動作の概要）
例えば、一のユーザ網としてのユーザ網２の端末３００と、他のユーザ網としてのユーザ網４の端末３２０との間で通信する場合におけるネットワーク１の動作の概要を説明する。まず、端末３００からの情報（例えば、フレームであり、宛先情報として端末３２０のＭＡＣ  ａｄｄｒｅｓｓを含むフレーム）は、スイッチ３０を介し、スイッチングハブ１０に転送される。スイッチングハブ１０は、当該情報に、ポート１００を一意に識別する受信ポート識別子を付加する。そして、スイッチングハブ１０は、受信ポート識別子が付加された情報をスイッチングハブ２０に転送する。
【００２１】
スイッチングハブ２０は、スイッチングハブ１０から受け取った情報を、帯域制御しつつスイッチングハブ１０に転送する。この場合にスイッチングハブ２０は、当該情報の宛先を示す情報に基づいて、宛先の端末（すなわち、端末３２０）を有するユーザ網４のスイッチ３２に接続されている送信ポートとしてのポート１０２を一意に識別する送信ポート識別子を、当該情報に付加する。そして、スイッチングハブ２０は、送信ポート識別子が付加された情報をスイッチングハブ１０に転送する。なお、上記の説明のとおり帯域制御はスイッチングハブ２０において実行されるので、スイッチングハブ１０及びスイッチングハブ１２は、帯域制御を実行する構成及び機能を備えなくてもよい。
【００２２】
次に、スイッチングハブ１０は、当該情報に付加された送信ポート識別子を参照し、当該情報をポート１０２からスイッチ３２に転送する。この場合にスイッチングハブ１０は、当該情報に付加されている送信ポート識別子を削除する。スイッチ３２は、当該情報を端末３２０に転送する。これにより、端末３００と端末３２０との間で通信できる。なお、端末３００と端末３４０との間の通信、端末３２０と端末３４０との間の通信も同様である。
【００２３】
（スイッチングハブ１０の構成）
図２は、本発明の実施の形態に係る第１のネットワーク中継機器としてのスイッチングハブの機能構成の概要を示す。また、図３は、本発明の実施の形態に係る受信ポート識別子テーブルのデータ構成の一例を示す。
【００２４】
スイッチングハブ１０とスイッチングハブ１２とは同一の構成及び機能を有するので、本実施の形態においては、スイッチングハブ１０についてのみ説明する。
【００２５】
スイッチングハブ１０は、複数のユーザ網のそれぞれに接続される複数のポート（例えば、ポート１００、ポート１０２等）と、ユーザ網から受け取った情報をスイッチングハブ２０に転送する機能とスイッチングハブ２０から受け取った情報を所定のユーザ網に転送する機能とを含む転送処理部１１０と、スイッチングハブ２０に接続されるリンクポート１０４とを有する。なお、リンクポート１０４は、複数のポートと同一の機能を有しており、複数のポートとリンクポート１０４との相違点は、リンクポート１０４が、スイッチングハブ１０及びスイッチングハブ１２を含む複数の第１のネットワーク中継機器を束ねるスイッチングハブ２０に接続されている点である。
【００２６】
（ポート１００、ポート１０２）
受信ポート若しくは送信ポートとしてのポート１００は、ポート１００に接続されているユーザ網２のスイッチ３０との間でフレーム等の情報を送受信する。また、受信ポート若しくは送信ポートとしてのポート１０２は、ポート１０２に接続されているユーザ網４のスイッチ３２との間でフレーム等の情報を送受信する。スイッチングハブ１０が、ポート１００及びポート１０２を除く他のポートを有している場合も同様である。各ポートは、各スイッチから受け取った情報を転送処理部１１０に供給する。
【００２７】
（転送処理部１１０）
転送処理部１１０は、ポートに対応づけられた受信ポート識別子（例えば、ＶＬＡＮ  ＩＤ）をフレーム等の情報に付加する受信ポート識別子付加部１１２と、ポートを一意に識別するポートＩＤに対応づけて受信ポート識別子（例えば、ＶＬＡＮ  ＩＤ）を格納する受信ポート識別子テーブル１１６と、スイッチングハブ２０から受け取ったフレーム等の情報から送信ポート識別子を除去する送信ポート識別子除去部１１４とを含む。
【００２８】
受信ポート識別子付加部１１２は、ポート１００等から転送処理部１１０に情報が供給された場合に受信ポート識別子テーブル１１６を参照する。そして、受信ポート識別子付加部１１２は、当該情報を受信したポートを一意に識別するポートＩＤに対応づけて受信ポート識別子テーブル１１６が格納している受信ポート識別子を、当該情報に付加する。
【００２９】
例えば、スイッチングハブ１０のポート１００（ただし、ポートＩＤが「１」である）がフレームをスイッチ３０から受信した場合について説明する。この場合、ポート１００に対応づけられているポートＩＤが「１」であるので、受信ポート識別子付加部１１２は、「１」のポートＩＤに対応づけて受信ポート識別子テーブル１１６に格納されているＶＬＡＮ  ＩＤ（この場合、「１０１」）をフレームに付加する。受信ポート識別子付加部１１２は、例えば、ＶＬＡＮ  ＩＤを含むＶＬＡＮ  ＴＡＧをフレームに付加する。そして、受信ポート識別子付加部１１２は、ＶＬＡＮ  ＴＡＧを付加したフレームをリンクポート１０４に供給する。
【００３０】
すなわち、本実施の形態においては、スイッチングハブ１０の転送処理部１１０は、ポート１００等に接続されているユーザ網から受け取った情報の宛先検索をせず、受信ポート識別子を付加したフレームをスイッチングハブ２０に転送する。
【００３１】
また、転送処理部１１０に含まれる送信ポート識別子除去部１１４は、リンクポート１０４を介し、スイッチングハブ２０から情報を受け取った場合、当該情報に付加されている送信ポート識別子（例えば、ＶＬＡＮ  ＴＡＧ）を除去する。例えば、スイッチングハブ２０から受け取ったフレームに「１０２」のＶＬＡＮ  ＩＤが含まれるＶＬＡＮ  ＴＡＧが付加されている場合、送信ポート識別子除去部１１４が当該ＶＬＡＮ  ＴＡＧを除去すると共に、転送制御部１１０は、受信ポート識別子テーブル１１６を参照する。そして、この場合、「１０２」のＶＬＡＮ  ＩＤに対応付けてポートＩＤ「２」が受信ポート識別子テーブル１１６に格納されているので、転送制御部１１０は、ポートＩＤ「２」で識別されるポート１０２に当該情報を供給する。そして、当該情報は、ポート１０２からスイッチ３２に供給される。
【００３２】
（リンクポート１０４）
リンクポート１０４は、スイッチングハブ２０との間で情報を送受信するポートとして機能する。リンクポート１０４は、受信ポート識別子付加部１１２において受信ポート識別子が付加された情報をスイッチングハブ２０に転送する。また、リンクポート１０４は、スイッチングハブ２０から受け取った情報を転送処理部１１０に供給する。
【００３３】
（スイッチングハブ２０）
図４は、本発明の実施の形態に係る第２のネットワーク中継機器としてのスイッチングハブの機能構成の概要を示す。また、図５は、本発明の実施の形態に係るＦＤＢのデータ構成の一例を示し、図６は、本発明の実施の形態に係るＶＰＩＤテーブルのデータ構成の一例を示す。
【００３４】
スイッチングハブ２０は、複数の第１のネットワーク中継機器としてのスイッチングハブのそれぞれに接続される複数の転送ポートとしてのポート（例えば、ポート２００、ポート２０２、ポート２０４等）と、複数のポートに接続され、情報を送信する際に帯域制御する帯域制御部２１２を含むインターフェース部２１０と、インターフェース部２１０に接続される転送制御部２２０と、転送制御部２２０に接続されるＦｏｒｗａｒｄｉｎｇ  Ｄａｔａｂａｓｅ（ＦＤＢ）２３０及びＶｉｒｔｕａｌ  Ｐｏｒｔ  ＩＤ（ＶＰＩＤ）テーブル２４０とを有する。なお、スイッチングハブ２０が帯域制御部２１２を有している限り、帯域制御部２１２の配置位置はインターフェース部２１０内に限定されない。
【００３５】
（ＦＤＢ２３０及びＶＰＩＤテーブル２４０）
ＦＤＢ２３０は、宛先情報に対応づけてＶＰＩＤ、及び装置内で用いられる仮想ＬＡＮのＩＤであるＩｎｔｅｒｎａｌ  ＶＬＡＮ  ＩＤ（ＩＶＩＤ）を格納する。すなわち、ＦＤＢ２３０は、ＩＶＩＤと、宛先情報としてのＭＡＣ  ａｄｄｒｅｓｓと、ＶＰＩＤとを対応させ、各パラメータを格納する。ＶＰＩＤテーブル２４０は、ＶＰＩＤ及びＩＶＩＤに対応づけてＶＬＡＮ  ＩＤを格納する。すなわち、ＶＰＩＤテーブル２４０は、ＶＰＩＤと、ＩＶＩＤと、ポートＩＤと、ＶＬＡＮ  ＩＤとを対応させ、各パラメータを格納する。
【００３６】
（帯域制御部２１２）
帯域制御部２１２は、一のユーザ網（例えば、ユーザ網２）から転送されてきたフレームを他のユーザ網（例えば、ユーザ網４）に接続されているスイッチングハブ（例えば、スイッチングハブ１０等の第１のネットワーク中継機器）に転送するときに帯域制御する。すなわち、スイッチングハブ２０は、フレームを所定のユーザ網に向けて送信するときに、帯域を制御しながらフレームを送信する。
【００３７】
（転送制御部２２０）
転送制御部２２０は、送信元学習及び宛先検索を実行する。また、転送制御部２２０は、一のユーザ網に接続されている第１のネットワーク中継機器としてのスイッチングハブから受け取ったフレーム等の情報に、他のユーザ網に接続されている第１のネットワーク中継機器としてのスイッチングハブの送信ポートに対応づけられた送信ポート識別子を付加する。具体的に、転送制御部２２０は、フレーム等の情報に含まれる宛先情報に対応づけてＦＤＢ２３０が格納しているＶＰＩＤ及びＩＶＩＤを参照する。そして、転送制御部２２０は、参照したＶＰＩＤ及びＩＶＩＤに対応づけてＶＰＩＤテーブル２４０に格納されているＶＬＡＮ  ＩＤを送信ポート識別子としてフレーム等の情報に付加する。転送制御部２２０は、送信ポート識別子が付加された情報をインターフェース部２１０に供給する。
【００３８】
以下、図１乃至図６を参照しながら、ネットワーク１におけるスイッチングハブ２０の動作をより詳細に説明する。なお、以下の説明におけるＭＡＣ  Ａｄｄｒｅｓｓ、ポートＩＤ等の値は一例であって、これらの値に限定されない。
【００３９】
（スイッチングハブ２０の動作）
まず、ユーザ網２にＭＡＣ  Ａｄｄｒｅｓｓが「ａ」の端末３００が接続され、ユーザ網４にＭＡＣ  Ａｄｄｒｅｓｓが「ｂ」の端末３２０が接続されているとする。そして、端末３００から端末３２０に所定のフレームを送信する場合を説明する。この場合、まず端末３００からフレームはスイッチ３０に供給され、スイッチ３０は当該フレームをスイッチングハブ１０に供給する。なお、当該フレームには、送信元のＭＡＣ  Ａｄｄｒｅｓｓ「ａ」と宛先のＭＡＣ  Ａｄｄｒｅｓｓ「ｂ」とが含まれる。
【００４０】
スイッチングハブ１０は、ポートＩＤが「１」のポート１００で当該フレームを受信する。そして、受信ポート識別子付加部１１２は、ポート１００のポートＩＤに対応づけて受信ポート識別子テーブル１１６に格納されているＶＬＡＮ  ＩＤ「１０１」を含むＶＬＡＮ  ＴＡＧを当該フレームに付加する。そして、転送処理部１１０は、リンクポート１０４から当該フレームをスイッチングハブ２０に転送する。
【００４１】
次に、スイッチングハブ２０は、スイッチングハブ１０に接続されたポート２００においてフレームを受信する。そして、スイッチングハブ２０のインターフェース部２１０は、当該フレームを転送制御部２２０に供給する。この場合において、インターフェース部２１０は、当該フレームを受信したポート（この場合、ポート２００）のポートＩＤを含む装置内ヘッダを当該フレームに付加する。
【００４２】
次に、転送制御部２２０は、インターフェース部２１０から受け取ったフレームに付加されている受信ポート識別子（この場合、フレームに付加されているＶＬＡＮ  ＴＡＧ内のＶＬＡＮ  ＩＤ）を参照する。そして、転送制御部２２０は、参照した受信ポート識別子に対応づけてＶＰＩＤテーブル２４０が格納しているＶＰＩＤ、ＩＶＩＤ、及びポートＩＤを参照する。例えば、この場合、当該フレームには「１０１」のＶＬＡＮ  ＩＤが含まれているので、転送制御部２２０は、ＶＰＩＤとして「１２１」を、ＩＶＩＤとして「１」を、ポートＩＤとして「１」を参照する。
【００４３】
次に、転送制御部２２０は、送信元学習を実行する。具体的に、転送制御部２２０は、ＶＰＩＤテーブル２４０で参照したＶＰＩＤ及びＩＶＩＤと、フレームの送信元ＭＡＣ  ＡｄｄｒｅｓｓとをＦＤＢ２３０に登録する。この場合、ＶＰＩＤが「１２１」であり、ＩＶＩＤが「１」であり、送信元のＭＡＣ  Ａｄｄｒｅｓｓが「ａ」であるので、転送制御部２２０は、これらの値を相互に対応づけて、ＦＤＢ２３０に登録する。
【００４４】
次に、転送制御部２２０は、宛先のＭＡＣ  Ａｄｄｒｅｓｓ「ｂ」に対応づけてＦＤＢ２３０が格納しているＩＶＩＤ及びＶＰＩＤを参照する。この場合、転送制御部２２０は、ＩＶＩＤとして「１」を、ＶＰＩＤとして「１２２」を参照する。そして、転送制御部２２０は、ＩＶＩＤ及びＶＰＩＤに対応づけてＶＰＩＤテーブル２４０に格納されている宛先のポートＩＤとＶＬＡＮ  ＩＤとを参照する。この場合、転送制御部２２０は、ポートＩＤとして「１」を、ＶＬＡＮ  ＩＤとして「１０２」を参照する。そして、転送制御部２２０は、フレームに付加されている受信ポート識別子を、送信ポート識別子としてのＶＬＡＮ  ＩＤ（この場合、「１０２」）を含むＶＬＡＮ  ＴＡＧに付け替える。続いて、転送制御部２２０は、宛先としてポートＩＤの値「１」をフレームの内部ヘッダに付加し、インターフェース部２１０に供給する。
【００４５】
インターフェース部２２０は、帯域制御部２１２において予め定められた帯域に基づいて帯域制御を実行しつつ、ポートＩＤ「１」で識別される転送ポートとしてのポート２００からフレームをスイッチングハブ１０に転送する。なお、予め定められた帯域とは、例えば、ユーザ網２乃至ユーザ網６を所有するユーザに契約等で予め割り当てられた帯域である。
【００４６】
当該フレームは、スイッチングハブ２０からスイッチングハブ１０に転送される。スイッチングハブ１０は、当該フレームを受信すると、当該フレームに付加されたＶＬＡＮ  ＴＡＧに含まれるＶＬＡＮ  ＩＤに基づいて、当該フレームを所定のポートから所定のユーザ網のスイッチに転送する。具体的に、リンクポート１０４において当該フレームが受信される。そして、リンクポート１０４は、当該フレームを転送処理部１１０に供給する。
【００４７】
続いて転送処理部１１０は、フレームに含まれるＶＬＡＮ  ＩＤに対応づけて受信ポート識別子テーブル１１６に格納されているポートＩＤを参照する。この場合、受信ポート識別子テーブル１１６は、「１０２」のＶＬＡＮ  ＩＤに対応づけて「２」のポートＩＤを格納しているので、転送処理部１１０は「２」のポートＩＤに対応するポート１０２に当該フレームを供給する。そして、ポート１０２からスイッチ３２に当該フレームを転送する。スイッチ３２は、当該フレームを宛先の端末３２０に転送する。これにより、端末３００から端末３２０に当該フレームが送信される。
【００４８】
なお、端末３２０から端末３００への情報の送信、ユーザ網２の端末３００からユーザ網６の端末３４０への情報の送信についても、上記と同様である。また、複数の第１のネットワーク中継機器が有する複数のポートのそれぞれに割り当てられるＶＬＡＮ  ＩＤは、重複しないように設定する。
【００４９】
（実施の形態の効果）
本実施の形態に係るネットワーク１は、従来、スイッチングハブ１０及びスイッチングハブ１２等の第１のネットワーク中継機器で実行されていた帯域制御を、第２のネットワーク中継機器であるスイッチングハブ２０に集約させたので、ネットワーク１の帯域制御の構成、及び動作を簡易化できる。更に、スイッチングハブ１０及びスイッチングハブ１２を集約するスイッチングハブ２０において帯域制御を実行するので、スイッチングハブ１０及びスイッチングハブ１２等の第１のネットワーク中継機器に帯域制御する機能を実装することを要さない。これにより、スイッチングハブ１０及びスイッチングハブ１２は、帯域制御機能及びＦＤＢ等を備えることを要さず、情報を転送する限られた機能のみで構成することができるので、スイッチングハブ１０及びスイッチングハブ１２を従来よりも低価格にすることができる。特に、スイッチングハブ２０が集約するスイッチングハブ１０等の第１のネットワーク中継機器の台数が増加するほど、ネットワーク１全体のコストを大幅に低減することができる。
【００５０】
また、受信ポート識別子としてＶＬＡＮ  ＩＤを用いる場合、本実施の形態に係るネットワーク１において要求される機能のみを設定することにより、従来からネットワークに用いていたスイッチングハブを、本実施の形態に係るネットワーク１が備える第１のネットワーク中継機器として用いることができる。
【００５１】
更に、ユーザ（すなわち、企業）のネットワーク構成を変更する場合（例えば、新たな拠点の増設に伴う新たなユーザ網の付加、拠点の削除に伴うユーザ網の削除、ＶＬＡＮ構成の変更等）、従来ではスイッチングハブ１０、スイッチングハブ１２等の複数のスイッチングハブそれぞれの設定の変更が要求された。しかしながら、本実施の形態に係るネットワーク１においては、第２のネットワーク中継機器であるネットワーク２０の設定を変更するのみで対応することができるので、ネットワーク１の管理を簡略化できる。
【００５２】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【符号の説明】
【００５３】
１  ネットワーク
２、４、６  ユーザ網
１０、１２  スイッチングハブ
２０  スイッチングハブ
３０、３２、３４  スイッチ
１００、１０２  ポート
１０４  リンクポート
１１０  転送処理部
１１２  受信ポート識別子付加部
１１４  送信ポート識別子除去部
１１６  受信ポート識別子テーブル
１２０  ポート
１２４  リンクポート
２００、２０２、２０４  ポート
２１０  インターフェース部
２１２  帯域制御部
２２０  転送制御部
２３０  ＦＤＢ
２４０  ＶＰＩＤテーブル
３００、３２０、３４０  端末
【図１】
2011166338.tif 000003
【図２】
2011166338.tif 000004
【図３】
2011166338.tif 000005
【図４】
2011166338.tif 000006
【図５】
2011166338.tif 000007
【図６】
2011166338.tif 000008